(57)【特許請求の範囲】
【請求項１】
正面板と背面板の間が適宜収納物の収容ポケットとなる単体ケースを形成すると共に、正面板と背面板に設けた適宜連繋手段を介して、複数の単体ケースが前後方向で重なるように連繋し、隣設する単体ケース相互間に於いて、後がわの単体ケースが前がわの単体ケースに対して上方に移動可能となるように連繋手段を構成すると共に、前がわの単体ケースの背面板の上端縁に折返線を介して折返板を連設し、この折返板を後がわの単体ケースの収容ポケット内に配置して、前がわの単体ケースの背面板と折返板の間に後がわの単体ケースＡの正面板を配し、更に、前がわの単体ケースの折返板と後がわの単体ケースの正面板に、後がわの単体ケースが前がわの単体ケースに対して上方に移動可能となると共に、所定量移動したときにその移動を停止させるような適宜摺動係止手段を設け、最後方の単体ケースの背面板に蓋片を連設し、この蓋片と最前方の単体ケースの正面板に適宜係着手段を設け、隣設する単体ケース相互を連繋する連繋手段を、後がわの単体ケースの正面板に切起し状に設けられると共に、所定間隔隔てた状態で配される左右の連繋用差込ガイド片と、前がわの単体ケースの背面板に穿設されると共に、所定間隔隔てた状態で配される左右の連繋用ガイド孔とで構成し、連繋用ガイド孔は、ガイド上孔とガイド下孔とで構成し、連繋用差込ガイド片は、その先端左右に係止顎部を設けて構成し、前がわの単体ケースの折返板と後がわの単体ケースの正面板との摺動係止手段を、前がわの単体ケースの折返板に切起し状に設けられる摺動係止用差込ガイド片と、後がわの単体ケースの正面板に穿設される摺動係止用ガイド孔とで構成し、摺動係止用差込ガイド片を摺動係止用ガイド孔に摺動自在に差込んで構成したことを特徴とする収納ケース。
【請求項２】
正面板の上縁部分を、略逆台形状に切設せしめたことを特徴とする請求項１記載の収納ケース。
【発明の詳細な説明】
【０００１】
【発明の属する技術分野】
本発明は、例えば、適宜書類や、図面類や、各種チケットや、車検証、保険証、パスポート等の各種証明書類や、各種カタロク類や、或いは、クレジットカードや、キャッシュカードや、テレホンカードや、その他のプリペイドカード等の各種カード類や、ＣＤや、ＣＤ−ＲＯＭや、ＦＤや、その他の記録担体等の適宜収納物を、複数収納できると共に整然と収納でき、しかも、これらの出入れがより容易に且つ確実に行えるように工夫した収納ケースに関する。
【０００２】
【従来の技術】
従来、適宜書類や図面類等の収納物を収納できる収納ケースにあっては、例えば、収納ケース本体内に適宜仕切壁を複数設けたもの等が提供されている。
また、クレジットカードや、キャッシュカード等のカード類を複数収容しておける収納ケースにあっては、例えば、複数のポケット部を上下にズラせた状態（多段状）に設け、カード類の一部が夫々露出した状態でポケット部に収容せしめるようにしたものが多く提供されている。
【０００３】
【発明が解決しようとする課題】
ところが、収納ケース本体内に適宜仕切壁を複数設けたものは、収納物の出入れが容易に行い難く、取扱い易いものが少ない難点等があった。
また、複数のポケット部を上下にズラせたものは、カード類の一部が露出した多段状に収容されるので、収容できるカード類の枚数を増やすと、収容部分を合せた面積が大きくなり、コンパクトに構成し難い難点等があった。
【０００４】
【課題を解決するための手段】
そこで、本発明は、前述の如き難点等を解消できるようにするのは勿論のこと、複数の収納物を所定箇所に整然と収納でき、収納物の出入れがより容易に且つ確実に行え、加えて、収納物の収納や、保管や、携帯に最適で、スムーズな動作が期待でき、取扱いが一層容易となり、しかも、構成が簡素で、量産に適し、低廉で、経済的となるような収納ケースを提供すべく創出されたもので、請求項１記載の収納ケースにあっては、正面板１と背面板２の間が適宜収納物の収容ポケットとなる単体ケースＡを形成すると共に、正面板１と背面板２に設けた適宜連繋手段を介して、複数の単体ケースＡが前後方向で重なるように連繋し、隣設する単体ケースＡ相互間に於いて、後がわの単体ケースＡが前がわの単体ケースＡに対して上方に移動可能となるように連繋手段を構成すると共に、前がわの単体ケースＡの背面板２の上端縁に折返線１１を介して折返板３を連設し、この折返板３を後がわの単体ケースＡの収容ポケット内に配置して、前がわの単体ケースＡの背面板２と折返板３の間に後がわの単体ケースＡの正面板１を配し、更に、前がわの単体ケースＡの折返板３と後がわの単体ケースＡの正面板１に、後がわの単体ケースＡが前がわの単体ケースＡに対して上方に移動可能となると共に、所定量移動したときにその移動を停止させるような適宜摺動係止手段を設け、最後方の単体ケースＡの背面板２に蓋片１５を連設し、この蓋片１５と最前方の単体ケースＡの正面板１に適宜係着手段を設け、隣設する単体ケースＡ相互を連繋する連繋手段を、後がわの単体ケースＡの正面板１に切起し状に設けられると共に、所定間隔隔てた状態で配される左右の連繋用差込ガイド片５と、前がわの単体ケースＡの背面板２に穿設されると共に、所定間隔隔てた状態で配される左右の連繋用ガイド孔とで構成し、連繋用ガイド孔は、ガイド上孔６とガイド下孔７とで構成し、連繋用差込ガイド片５は、その先端左右に係止顎部を設けて構成し、前がわの単体ケースＡの折返板３と後がわの単体ケースＡの正面板１との摺動係止手段を、前がわの単体ケースＡの折返板３に切起し状に設けられる摺動係止用差込ガイド片３ａと、後がわの単体ケースＡの正面板１に穿設される摺動係止用ガイド孔１ａとで構成し、摺動係止用差込ガイド片３ａを摺動係止用ガイド孔１ａに摺動自在に差込んで構成する手段を採用した。
【０００５】
また、請求項２記載の収納ケースにあっては、正面板１の上縁部分を、略逆台形状に切設せしめる手段を採用した。
【０００６】
【発明の実施の形態】
以下、本発明を図示例に基づいて説明する。
本発明は、例えば、適宜書類や、図面類や、各種チケットや、車検証、保険証、パスポート等の各種証明書類や、各種カタロク類や、或いは、クレジットカードや、キャッシュカードや、テレホンカードや、その他のプリペイドカード等のように矩形状（或いは、矩形状以外の形状でも良い）を呈する各種カード類や、ＣＤや、ＣＤ−ＲＯＭや、ＦＤや、その他の記録担体等の適宜収納物Ｃを、複数収納できると共に整然と収納でき、更に、これらの出入れがより容易に且つ確実に行えるようにした収納ケースに係り、図に示す収納ケースは、正面板１と背面板２の間が適宜収納物Ｃの収容ポケットとなり、しかも、その上部が開口部となる複数の単体ケースＡを備えたものである（図１参照）。
【０００７】
また、収納ケースは、正面板１と背面板２に設けた適宜連繋手段を介して、複数の単体ケースＡが前後方向で重なるように連繋せしめると共に、隣設する単体ケースＡ相互間に於いて、後がわの単体ケースＡが前がわの単体ケースＡに対して所定向き（例えば、上方）に移動可能となるように連繋されている。しかも、前がわの単体ケースＡの背面板２の上端縁に折返線１１を介して折返板３を連設すると共に、この折返板３を後がわの単体ケースＡの収容ポケット内に配置して、前がわの単体ケースＡの背面板２と折返板３の間に後がわの単体ケースＡの正面板１を配するようにして構成されている（図４、図５参照）。すなわち、折返板３によって、隣設する単体ケースＡ相互の隙間（前方の単体ケースＡの背面板２と、後方の単体ケースＡの正面板１との間の隙間）部分が覆われるようになり、この部分に誤って収納物Ｃを差込む虞れが無くなり、単体ケースＡの収納ポケット部分に収納物Ｃが確実に収容されるように構成してある。
【０００８】
更に、前がわの単体ケースＡの折返板３と後がわの単体ケースＡの正面板１には、後がわの単体ケースＡが前がわの単体ケースＡに対して所定向き（例えば、上方）に移動可能となるような適宜摺動係止手段を設けて構成されている（図４参照）。すなわち、不意の外力等によって前がわの単体ケースＡの折返板３が後がわの単体ケースＡの収容ポケットから簡単に逸脱するようなことがなくなるように構成してある。
【０００９】
そして、複数の単体ケースＡは、例えば、全体略矩形状を呈し、最前方となる単体ケースＡと、最後方となる単体ケースＡと、最前方と最後方の単体ケースＡの間に適数配される中間部分の単体ケースＡとからなり、最前方の単体ケースＡの背面板２、中間部分の単体ケースＡの正面板１と背面板２、及び最後方の単体ケースＡの正面板１に夫々設けた連繋手段によって隣設する単体ケースＡ相互が連繋された状態となる。
【００１０】
しかも、最後方の単体ケースＡを、所定向き（例えば、上方）に移動させることによって、複数の中間部分の単体ケースＡが後方の単体ケースＡから順次所定向き（例えば、上方）に移動して、略多段状とすることができるように構成されている（図２参照）。ところで、連繋手段を介して、複数の単体ケースＡが前後方向で重なるような重合状態にできるのは勿論である（図３参照）。尚、複数の単体ケースＡの所定向きへの移動は、上下方向だけでなく、左右方向や、斜め方向や、或いは、円弧方向等に移動するように設定しても良い。
【００１１】
加えて、最後方の単体ケースＡの背面板２には、蓋片１５が連設され、この蓋片１５と最前方の単体ケースＡの正面板１に適宜係着手段が設けられている。すなわち、複数の単体ケースＡを重合状態としたときに、蓋片１５を最前方の単体ケースＡの正面板１に係着させることができ、単体ケースＡ夫々の重合状態を維持し易くしてあると共に、単体ケースＡ夫々の収容ポケットの開口部を閉じられるように形成してある（図３参照）。
【００１２】
単体ケースＡは、適宜合成樹脂材や、適宜強化紙材や、適宜金属材や、その他の材料や、或いは、これらの複合材等からなり、比較的薄いシート材によって構成され、例えば、略矩形状の背面板２と、この背面板２の下端縁に折目線１０を介して連設される正面板１とを備え、正面板１と背面板２の左右側縁には、折目線１０を介して溶着片１ｄが連設され、この溶着片１ｄが背面板２に溶着部１２を介して固着（溶着）され、正面板１と背面板２の上縁部分を開口部として構成されている。しかも、正面板１の上縁部分を、略逆台形状に切設せしめてある。すなわち、単体ケースＡの収容ポケットへの収納物Ｃの収容や、収容ポケットからの収納物Ｃの取出しが、よりスムーズに行い易くなるように構成してある（図１参照）。尚、正面板１と背面板２の一方の側縁部分を開口部として構成したり、正面板１と背面板２の上縁部及び一方の側縁部分を夫々開口部として構成しても良い。また、折目線１０は、収納される収納物Ｃの厚み等に応じて適宜幅を持たせたものであっても良い。
【００１３】
前記連繋手段は、例えば、中間部分の単体ケースＡの正面板１と最後方の単体ケースＡの正面板１に、左右の連繋用差込ガイド片５を所定間隔隔てた状態に且つ切起し状に設け、更に、中間部分の単体ケースＡの背面板２と最前方の単体ケースＡの背面板２に、左右の連繋用ガイド孔を所定間隔隔てた状態に穿設して構成されている。しかも、前記連繋用差込ガイド片５の先端左右には、係止顎部が設けてあり、連繋用差込ガイド片５が連繋用ガイド孔から簡単に抜脱しないように形成してある。また、前記連繋用ガイド孔は、略細長長円状のガイド上孔６と、略下向き三角状のガイド下孔７とで構成されており、連繋用差込ガイド片５は、単体ケースＡ外がわからガイド下孔７に差込まれて単体ケースＡ内に位置すると共に、ガイド上孔６に差込まれて単体ケースＡ外に位置するように形成されている（図５参照）。尚、係止顎部がガイド上孔６の孔縁部分に係止されたときに、隣設する単体ケースＡが重合状態となり、連繋用差込ガイド片５の基端周辺部分がガイド下孔７の孔縁部分に係止されたときに、隣設する単体ケースＡ相互の上下方向でのズレが最大となる。
【００１４】
前記摺動係止手段は、例えば、前がわの単体ケースＡの折返板３に切起し状に設けられる略矩形状の摺動係止用差込ガイド片３ａと、後がわの単体ケースＡの正面板１に穿設される略長円状の摺動係止用ガイド孔１ａとで構成し、摺動係止用差込ガイド片３ａを摺動係止用ガイド孔１ａに摺動自在に差込んで構成されている。尚、摺動係止用差込ガイド片３ａは、その先端左右に係止顎部を設けて、摺動係止用差込ガイド片３ａが摺動係止用ガイド孔１ａから簡単に抜脱しないように形成しても良い。ところで、摺動係止手段による前がわの単体ケースＡの折返板３と後がわの単体ケースＡの正面板１相互の移動向きは、前記連繋手段による単体ケースＡ相互の移動向きに揃えられているが、この移動向きは、上下方向だけでなく、左右方向や、斜め方向や、或いは、円弧方向等に移動するように設定しても良い。
【００１５】
前記係着手段は、例えば、最後方の単体ケースＡの背面板２上端縁に折目線を介して連設された蓋片１５に切起状に設けた略Ｖ字状の差込係止片１５ａと、最前方の単体ケースＡの正面板１の中央上部に穿設した略長円状の係止孔１ｂとで構成し、この差込係止片１５ａを係止孔１ｂに差込むことで係着できるように形成してある。尚、この係着手段は、適宜スナップ釦や、面着テープや、その他の手段を適宜採用できるものである。
【００１６】
更に、最前方の単体ケースＡは、正面板１に連繋用差込ガイド片５や摺動係止用ガイド孔１ａが無く、正面板１の上端縁に、折目線１０を介して略台形状の折曲板１ｃが連設されており、この折曲板１ｃは、正面板１の内面がわに密接するように構成してある。
【００１７】
また、最後方の単体ケースＡは、背面板２に連繋用ガイド孔が無く、背面板２の上縁部分には、適宜複数の折曲筋部分を介して蓋片１５が連設されている。尚、蓋片１５には、補強片１５ｂが連設してあり、蓋片１５部分の強度及び剛性が増すように形成してある。
【００１８】
ところで、収納ケースの具体的構成、形状、寸法、材質、単体ケースＡの具体的構成、形状、寸法、材質、数、正面板１の具体的構成、形状、寸法、材質、摺動係止用ガイド孔１ａの具体的構成、形状、寸法、配設位置、数、係止孔１ｂの具体的構成、形状、寸法、配設位置、数、折曲板１ｃの具体的構成、形状、寸法、材質、溶着片１ｄの具体的構成、形状、寸法、材質、背面板２の具体的構成、形状、寸法、材質、折返板３の具体的構成、形状、寸法、材質、背面板２への連設位置、摺動係止用差込ガイド片３ａの具体的構成、形状、寸法、材質、連繋用差込ガイド片５の具体的構成、形状、寸法、材質、数、配設位置、連繋用ガイド孔の具体的構成、形状、寸法、数、配設位置、ガイド上孔６の具体的構成、形状、寸法、配設位置、ガイド下孔７の具体的構成、形状、寸法、配設位置、折目線１０の具体的構成、形状、寸法、折返線１１の具体的構成、形状、寸法、蓋片１５の具体的構成、形状、寸法、材質、差込係止片１５ａの具体的構成、形状、寸法、配設位置、補強片１５ｂの具体的構成、形状、寸法、材質、連繋手段の具体的構成、摺動係止手段の具体的構成、係着手段の具体的構成等は、図示例のもの等に限定されることなく適宜自由に設定できるものである。
【００１９】
【発明の効果】
従って、請求項１記載の収納ケースにあっては、複数の適宜収納物Ｃを、複数の単体ケースＡの収容ポケットに夫々整然と収容しておけ、更に、複数の単体ケースＡは、コンパクトな重合状態としたり、或いは、後がわの単体ケースＡを前がわの単体ケースＡに対して移動させて、収納物Ｃが出入れ容易となるような多段状としたりすることが簡単に行え、複数の収納物Ｃの収納や、保管や、携帯に最適な収納ケースとなる。しかも、構成が簡素で、量産に適し、低廉に提供でき、経済的なものとなる。
【００２０】
そして、最後方の単体ケースＡを所定向きに移動させるだけで、後方の単体ケースＡから順次所定向きに移動させて、複数の単体ケースＡをスムーズに多段状とすることができ、複数の単体ケースＡに夫々収容されている収納物Ｃの一部を多段状に露出させることも可能となり、所望の収納物Ｃの取出しや、収納物Ｃの所望単体ケースＡへの収容が容易に行え、取扱いが一層容易な収納ケースとなる。
【００２１】
特に、前がわの単体ケースＡの背面板２の上端縁に折返線１１を介して折返板３を連設し、この折返板３を後がわの単体ケースＡの収容ポケット内に配置して、前がわの単体ケースＡの背面板２と折返板３の間に後がわの単体ケースＡの正面板１を配したので、収納物Ｃを夫々の単体ケースＡに収容させる際に、隣設する単体ケースＡ相互の隙間（前がわの単体ケースＡの背面板２と、後がわの単体ケースＡの正面板１との間の隙間）部分に、誤って収納物Ｃを差込む虞れが無くなり、収納物Ｃを単体ケースＡの収納ポケット部分に確実に且つ容易に収容させることができるようになる。すなわち、単体ケースＡの収容ポケット以外に収納物Ｃを差込むことがなくなり、ひいては、単体ケースＡや、収納物Ｃを損傷する虞れのないものとなる。
加えて、隣設する単体ケースＡ相互（前がわの単体ケースＡの背面板２と、後がわの単体ケースＡの正面板１）を密接せしめられるようになると共に、隣設する単体ケースＡ相互（前がわの単体ケースＡの背面板２と、後がわの単体ケースＡの正面板１）が大きく離れるのを阻止できるようになり、連繋手段への負担も軽減できるようになる。
【００２２】
また、前がわの単体ケースＡの折返板３と後がわの単体ケースＡの正面板１に、後がわの単体ケースＡが前がわの単体ケースＡに対して所定向きに移動可能となるような適宜摺動係止手段を設けたので、不意の外力等によって前がわの単体ケースＡの折返板３が後がわの単体ケースＡの収容ポケットから簡単に逸脱するようなことがなくなる。しかも、前がわの単体ケースＡの折返板３を後がわの単体ケースＡの正面板１により確実に密接させることができるようになる。
【００２３】
更に、最後方の単体ケースＡの背面板２に蓋片１５を連設し、この蓋片１５と最前方の単体ケースＡの正面板１に適宜係着手段を設けたので、複数の単体ケースＡを重合状態としたときに、蓋片１５を最前方の単体ケースＡの正面板１に係着させることが可能となり、単体ケースＡ夫々の重合状態を維持し易くなると共に、単体ケースＡ夫々の収容ポケットの開口部を閉じられるようになる。しかも、蓋片１５を手指で摘み易くなり、最後方の単体ケースＡを所定向きに移動させ易くなる。
【００２４】
そして、隣設する単体ケースＡ相互を連繋する連繋手段を、後がわの単体ケースＡの正面板１に切起し状に設けられると共に、所定間隔隔てた状態で配される左右の連繋用差込ガイド片５と、前がわの単体ケースＡの背面板２に穿設されると共に、所定間隔隔てた状態で配される左右の連繋用ガイド孔とで構成し、連繋用ガイド孔は、ガイド上孔６とガイド下孔７とで構成したので、隣設する単体ケースＡ相互の連繋手段の構成が簡素となり、その製造が簡単に行えるようになる。特に、隣設する単体ケースＡ相互間に於いて、後がわの単体ケースＡと前がわの単体ケースＡとの所定向きの移動が一層スムーズに且つ安定的に行えるようになり、しかも、隣設する単体ケースＡ相互を一層確実に連繋できるようになる。
【００２５】
加えて、連繋用差込ガイド片５は、その先端左右に係止顎部を設けて構成したので、連繋用差込ガイド片５が連繋用ガイド孔から簡単に抜脱しないようになる。しかも、係止顎部がガイド上孔６の孔縁部分に係止されたときに、隣設する単体ケースＡが重合状態となるように形成できる。
【００２６】
それから、前がわの単体ケースＡの折返板３と後がわの単体ケースＡの正面板１との摺動係止手段を、前がわの単体ケースＡの折返板３に切起し状に設けられる摺動係止用差込ガイド片３ａと、後がわの単体ケースＡの正面板１に穿設される摺動係止用ガイド孔１ａとで構成し、摺動係止用差込ガイド片３ａを摺動係止用ガイド孔１ａに摺動自在に差込んで構成したので、摺動係止手段の構成が簡素となり、その製造が簡単に行えるようになる。しかも、前がわの単体ケースＡの折返板３を後がわの単体ケースＡの正面板１により確実に且つ簡単に係止させることができるようになると共に、摺動係止用差込ガイド片３ａが摺動係止用ガイド孔１ａに対してスムーズに摺動できるようになる。更に、不意の外力等によってその係止状態が簡単に解除される虞れの無いものとなる。
【００２７】
また、請求項２記載の収納ケースにあっては、正面板１の上縁部分を、略逆台形状に切設せしめたので、単体ケースＡの収容ポケットへの収納物Ｃの収容や、収容ポケットからの収納物Ｃの取出しが、よりスムーズに行い易くなる。
【図面の簡単な説明】
【図１】  本発明の収納ケースの単体ケースを例示する分解斜視図である。
【図２】  隣設する単体ケース相互間に於いて、後がわの単体ケースを移動させた（多段状とした）状態の本発明の収納ケースを例示する斜視図である。
【図３】  単体ケース相互を重合状態とし、蓋片を最前方の単体ケースに係着させた状態の本発明の収納ケースを例示する斜視図である。
【図４】  本発明の収納ケースの単体ケース相互の連繋状態を例示する部分縦断側面図である。
【図５】  本発明の収納ケースの単体ケース相互の連繋状態を例示する部分縦断側面図である。
【図６】  本発明の収納ケースの単体ケース相互の連繋状態を例示する一部省略背面図である。
【図７】  本発明の収納ケースの最前方の単体ケースを例示する展開図である。
【図８】  本発明の収納ケースの中間部分の単体ケースを例示する展開図である。
【図９】  本発明の収納ケースの最後方の単体ケースを例示する展開図である。
【符号の説明】
Ａ      単体ケース
１      正面板                        １ａ    ガイド孔
１ｂ    係止孔                        １ｃ    折曲板
１ｄ    溶着片
２      背面板
３      折返板                        ３ａ    差込ガイド片
５      差込ガイド片                  ６      ガイド上孔
７      ガイド下孔
１０    折目線                        １１    折返線
１２    溶着部
１５    蓋片                          １５ａ  差込係止片
１５ｂ  補強片
Ｃ      収納物
【図１】
0003743901.tif 000002
【図２】
0003743901.tif 000003
【図３】
0003743901.tif 000004
【図４】
0003743901.tif 000005
【図５】
0003743901.tif 000006
【図６】
0003743901.tif 000007
【図７】
0003743901.tif 000008
【図８】
0003743901.tif 000009
【図９】
0003743901.tif 000010